(57)【要約】【課題】ディスプレイが縦長状態、横長状態の少なくとも一方の状態においても、ディスプレイ上の画像の撮影サイズを変更できる携帯電話機を提供する。【解決手段】携帯情報端末１は、カメラユニット２０と、カメラが撮影中の画像をＬＣＤユニット３０の表示画面に表示させるための画像処理制御部５０と、画像を第１の縦横比または第２の縦横比で表示するように指示するためのキー操作部５４とを備える。画像処理制御部５０は、キー操作部５４からの縦横比の変更指示に応じて、画像の縦横比を変更する。【選択図】図７
2008113185.tif 000002
【特許請求の範囲】
【請求項１】
撮像手段と、
前記撮像手段が設けられた第１の筐体と、
前記撮像手段が撮影中の画像を表示するための表示手段と、
前記表示手段が設けられた第２の筐体と、
前記画像を前記表示手段の表示画面に表示させるための画像処理制御手段と、
前記表示画面の前記画像が表示される表示領域において、前記画像を第１の縦横比または前記第１の縦横比とは異なる第２の縦横比で表示するよう前記画像処理制御手段に指示するための表示切り替え手段とを備え、
前記画像処理制御手段は、前記表示切り替え手段からの縦横比の変更指示に応じて、前記第１の縦横比または前記第２の縦横比になるように前記画像の撮影サイズを変更する、携帯情報端末。
【請求項２】
前記第１の筐体と前記第２の筐体とが開閉するように結合させるための結合手段をさらに備え、
前記結合手段は、前記表示画面が縦長状態および横長状態となるように、前記第２の筐体が、前記開閉のための軸と垂直方向で、前記表示画面に水平な面内において回転可能となるような回転手段を含み、
前記画像処理制御手段は、前記表示画面が前記縦長状態および前記横長状態の少なくとも一方の状態において、前記第１の縦横比または前記第２の縦横比になるように前記画像の撮影サイズを変更する、請求項１記載の携帯情報端末。
【請求項３】
前記第１の縦横比は、前記表示画面が縦長状態における前記表示画面の縦横比であり、
前記第２の縦横比は、前記表示画面が横長状態における前記表示画面の縦横比である、請求項２記載の携帯情報端末。
【請求項４】
ユーザからの指示により通話するための通話処理制御手段をさらに備える、請求項３記載の携帯情報端末。
【請求項５】
前記表示領域が縦長状態および横長状態のいずれか一方から他方へ遷移したことを検出するための検出手段をさらに備え、
前記画像処理制御手段は、前記検出手段が前記遷移を検出したことに応じて、前記画像を回転処理し、前記遷移前に前記表示領域に表示されていた前記縦横比となるように、前記回転処理した画像の表示サイズを変更する、請求項４記載の携帯情報端末。
【請求項６】
前記画像処理制御手段は、前記画像において、前記表示領域に表示させる範囲を前記第１の縦横比となる範囲と前記第２の縦横比となる範囲のいずれか一方に決定する、請求項５記載の携帯情報端末。
【発明の詳細な説明】
【技術分野】
【０００１】
本発明は、携帯情報端末に関する。特に、ディスプレイ回転機構を持つカメラ付き携帯情報端末に関する。
【背景技術】
【０００２】
近年、携帯電話機は多機能化が進んでいる。たとえば、縦長状態もしくは横長状態にディスプレイを回転できるような機構を持つカメラ付き携帯電話機がある。
【０００３】
例として、特許文献１および特許文献２には、上部ユニットと下部ユニットから構成される携帯電話機が開示されている。
【０００４】
図１６は、特許文献１に開示された携帯電話機の構成を示す概略背面図である。図１６を参照して、携帯情報端末１００は、上部ユニット１０２と、下部ユニット１０４と、カメラ１０６とを備える。上部ユニット１０２と下部ユニット１０４とは、図示しないヒンジ部を介して折畳み可能に連結されている。上部ユニット１０２は、図示しないディスプレイを有する表示部ユニット１０２ａと、表示部ユニット１０２ａを回転可能に支持する支持部ユニット１０２ｂとを含む。カメラ１０６は、表示部ユニット１０２ａに装着される。
【０００５】
携帯情報端末１００は、ディスプレイが縦長表示の状態（図１６（ａ））から、表示部ユニット１０２ａを支持部ユニット１０２ｂに対して回転させることにより、ディスプレイが横長表示の状態（図１６（ｂ））にすることができる。この際、カメラ１０６も表示部ユニット１０２ａと同時に回転する。
【０００６】
図１７は、特許文献２に開示される携帯電話機の構成を示す概略背面図である。図１７に示すように、携帯情報端末１００と同様に携帯情報端末１１０においても、表示部ユニット１１２ａに装着される図示しないディスプレイが縦長表示の状態（図１７（ａ））から、表示部ユニット１１２ａを支持部ユニット１１２ｂに対して回転させることにより、ディスプレイが横長表示の状態（図１７（ｂ））にすることができる。この際、回転軸上に装着されたカメラ１１６も表示部ユニット１１２ａと同時に回転する。
【特許文献１】特開２００３−３１９０４３号公報
【特許文献２】特開２００４−３５６９７５号公報
【発明の開示】
【発明が解決しようとする課題】
【０００７】
上記のようなカメラ付き携帯電話機では、ディスプレイ画像をファインダとして見ながら、カメラ撮影できることが望ましい。
【０００８】
上記特許文献１，２で開示されている携帯電話機は、上述したように、ディスプレイとカメラとが同時に回転する機構を持つ。このため、ディスプレイが回転してもカメラセンサが取得した画像の読み出し方向とディスプレイ画像に対する表示駆動での走査方向とは一致する。
【０００９】
しかしながら、予めこのようにディスプレイとカメラとが同時に回転する機構を持っていない携帯電話機の場合は、ディスプレイを回転させながらカメラ撮影すると、ディスプレイの回転によって、カメラセンサが取得した画像の読み出し方向とディスプレイ画像に対する表示駆動での走査方向との不一致が発生する。このため、ディスプレイ画像をファ
インダとして見ることが困難となる。
【００１０】
図１８は、ディスプレイの回転と共にカメラが回転しない機構を持つ携帯電話機の構成を示す背面概略図である。図１８を参照して、携帯情報端末１２０は、上部ユニット１２２と、下部ユニット１２４と、カメラ１２６とを備える。上部ユニット１２２と下部ユニット１２４とは、図示しないヒンジ部を介して折畳み可能に連結されている。上部ユニット１２２は、図示しないディスプレイを有する表示部ユニット１２２ａと、表示部ユニット１２２ａを回転可能に支持する支持部ユニット１２２ｂとを含む。カメラ１２６は、下部ユニット１２４に装着される。
【００１１】
携帯情報端末１２０は、ディスプレイが縦長表示の状態（図１８（ａ））から、表示部ユニット１０２ａを支持部ユニット１０２ｂに対して回転させることにより、ディスプレイが横長表示の状態（図１８（ｂ））にすることができる。この際、カメラ１０６は表示部ユニット１０２ａが回転しても、下部ユニット１２４に固定されたままで回転しない。
【００１２】
図１９は、ディスプレイが縦長状態において、カメラセンサの取得した画像とディスプレイに表示される画像との関係を説明するための図である。図中において、矢印Ｖｃｃｄはカメラセンサが取得した画像の読み出し方向を示し、矢印Ｖｄｉｓはディスプレイ画像に対する表示駆動での走査方向を示す。
【００１３】
ディスプレイが縦長状態（図１８（ａ））では、ＶｃｃｄとＶｄｉｓの向きは共に水平方向で一致しているため、カメラセンサが取得した画像（図１９（ａ））とディスプレイ画像（図１９（ｂ））との上下方向は一致する。
【００１４】
図２０は、ディスプレイが横長状態において、カメラセンサの取得した画像とディスプレイに表示される画像との関係を説明するための図である。ディスプレイが縦長状態（図１８（ａ））から横長状態（図１８（ｂ））に表示部ユニット１２２ａが回転した場合、Ｖｄｉｓの向きは垂直方向となり、Ｖｃｃｄの向き（水平方向）と一致しない。このため、カメラセンサが取得した画像（図２０（ａ））と、ディスプレイ画像（図２０（ｂ））との上下方向は一致しなくなる。このような場合、カメラ撮影中にディスプレイ画像をファインダとして見ることが困難となる。
【００１５】
本発明は、上記のような問題を解決するためになされたものであって、その目的は、ディスプレイが縦長状態、横長状態の少なくとも一方の状態において、ディスプレイ上の画像の撮影サイズを変更できる携帯電話機を提供することである。
【課題を解決するための手段】
【００１６】
本発明の１つの局面に従うと、携帯情報端末であって、撮像手段と、撮像手段が設けられた第１の筐体と、撮像手段が撮影中の画像を表示するための表示手段と、表示手段が設けられた第２の筐体と、画像を表示手段の表示画面に表示させるための画像処理制御手段と、表示画面の画像が表示される表示領域において、画像を第１の縦横比または第１の縦横比とは異なる第２の縦横比で表示するよう画像処理制御手段に指示するための表示切り替え手段とを備え、画像処理制御手段は、表示切り替え手段からの縦横比の変更指示に応じて、第１の縦横比または第２の縦横比になるように画像の撮影サイズを変更する。
【００１７】
好ましくは、第１の筐体と第２の筐体とが開閉するように結合させるための結合手段をさらに備え、結合手段は、表示画面が縦長状態および横長状態となるように、第２の筐体が、開閉のための軸と垂直方向で、表示画面に水平な面内において回転可能となるような回転手段を含み、画像処理制御手段は、表示画面が縦長状態および横長状態の少なくとも一方の状態において、第１の縦横比または第２の縦横比になるように画像の撮影サイズを
変更する。
【００１８】
好ましくは、第１の縦横比は、表示画面が縦長状態における表示画面の縦横比であり、第２の縦横比は、表示画面が横長状態における表示画面の縦横比である。
【００１９】
好ましくは、ユーザからの指示により通話するための通話処理制御手段をさらに備える。
【００２０】
好ましくは、表示領域が縦長状態および横長状態のいずれか一方から他方へ遷移したことを検出するための検出手段をさらに備え、画像処理制御手段は、検出手段が遷移を検出したことに応じて、画像を回転処理し、遷移前に表示領域に表示されていた縦横比となるように、回転処理した画像の表示サイズを変更する。
【００２１】
好ましくは、画像処理制御手段は、画像において、表示領域に表示させる範囲を第１の縦横比となる範囲と第２の縦横比となる範囲のいずれか一方に決定する。
【発明の効果】
【００２２】
本発明によれば、ディスプレイが縦長状態、横長状態の少なくとも一方の状態においても、ディスプレイ上の画像の撮影サイズを変更できる。
【発明を実施するための最良の形態】
【００２３】
以下、図面を参照しつつ本発明の実施の形態について説明する。以下の説明では、同一の部品には同一の符号を付してある。それらの名称および機能も同じである。したがって、それらについては詳細な説明は繰り返さない。
【００２４】
本発明の実施の形態を、携帯電話機に実施した場合について図に基づいて説明する。
図１は、本実施の形態に係る携帯情報端末１の一例を示した斜視図であり、筐体を閉じた状態を示している。
【００２５】
図２は、携帯情報端末１の筐体を展開した状態を示した斜視図である。
図１および図２を参照して、携帯情報端末１について説明する。この携帯情報端末１は、いわゆる折り畳み式の携帯電話機であり、それぞれ長方形形状に形成された第１の筐体５および第２の筐体２がヒンジ部３を介して連結され、第１の筐体５および第２の筐体２の筐体面を対向させた状態で折り畳むことができるようになっている。
【００２６】
第１の筐体５には、折り畳んだ状態で第２の筐体２に対向する内面に多数の操作キー４および送話用マイクロホン７が配置されている。送話用マイクロホン７は、第１の筐体５におけるヒンジ部３と反対側の端部に配置されている。また、第１の筐体５には、第２の筐体２とは反対側の面にカメラ１０（図示しない）が配置されている。
【００２７】
第２の筐体２には、折り畳んだ状態で第１の筐体５に対向する内面にメイン表示部（ディスプレイ）２ａおよび受話用レシーバ８が配置されている。メイン表示部２ａは、長方形形状に形成されており、その長手方向が第２の筐体２の長手方向と一致するように配置されている。受話用レシーバ８は、第２の筐体２におけるヒンジ部３と反対側の端部に配置されている。
【００２８】
このような折り畳み式の携帯情報端末１は、コンパクトに折り畳んだ状態で携帯することができ、筐体を展開させれば、メイン表示部２ａの表示を見ながら、操作キー４を押下操作することができる。また、メイン表示部２ａは、長辺と短辺の比が、たとえば１６：９となる長方形形状に形成されている。なお、この携帯情報端末１は、図２に示すように
メイン表示部２ａを縦長状態として第２の筐体２の内面に耳を当てることにより、送話用マイクロホン７に口を近づけるとともに、受話用レシーバ８に耳を近づけて、良好に通話を行なうことができるようになっている。
【００２９】
ヒンジ部３は、第１の筐体５に対して回動可能に連結される連結部３ａと、第２の筐体２の外面に対向して第２の筐体２を保持する保持部３ｂとが一体的に形成された構成を有している。連結部３ａは、保持部３ｂの一端部において互いに一定間隔を隔てて突出するように形成された２つの円筒体からなる。第１の筐体５の内面における長手方向の一端部には、短手方向に延びるように円筒体６が形成されており、この円筒体６が２つの連結部３ａの間に同一軸線上に配置され、互いに回動可能に取り付けられることにより、ヒンジ部３が第１の筐体５に対して回動可能に連結されている。
【００３０】
保持部３ｂは、矩形の板状に形成され、メイン表示部２ａを縦長状態としたときに、第２の筐体２の外面におけるヒンジ部３側の半分程度に対向する。保持部３ｂは、第２の筐体２をメイン表示部２ａに水平な面内で回動可能に保持しており、第２の筐体２は、第１の筐体５に対する傾斜角度を保った状態で回転できるようになっている。保持部３ｂの第２の筐体２と反対側の外面には、主に筐体を閉じた状態で表示を行なうためのサブ表示部１１が配置されている。
【００３１】
図３は、図２の携帯情報端末１の第２の筐体２を回転させた状態で示した斜視図であり、正面から見て図２の状態から時計回りに約４５°回転させた状態を示している。
【００３２】
図４は、図２の携帯情報端末１の第２の筐体２を回転させた状態を示した斜視図であり、正面から見て図２の状態から時計回りに９０°回転させた状態を示している。
【００３３】
図３および図４を参照して、携帯情報端末１の第２の筐体２を回転させた状態について説明する。ユーザは、第１の筐体５を把持した状態で、第２の筐体２をメイン表示部２ａに水平な面内において９０°の角度範囲内で回転させることにより、図２に示した縦長状態と図４に示した横長状態との間で第２の筐体２を回転させることができる。
【００３４】
図２の状態から第２の筐体２を時計回りに回転させる場合、図３に示した状態となるまでは、ヒンジ部３の保持部３ｂ内に備えられた付勢部（図示しない）により、第２の筐体２に対して反時計回りに付勢力が作用するようになっている。したがって、図２の状態では、筐体２に対して反時計回りに作用する付勢力によって、外力が作用しない限り第２の筐体２が図２の状態のまま維持されるようになっている。
【００３５】
一方、図３の状態を超えて第２の筐体２をさらに時計回りに回転させると、第２の筐体２に作用する付勢力が時計回りに切り替わり、図４に示した状態で第２の筐体２が係止される。これにより、外力が作用しない限り第２の筐体２が図４の状態のまま維持されるようになっている。
【００３６】
本実施の形態に係る携帯情報端末１では、第２の筐体２は一定位置に固定された回転軸を中心に回転するのではなく、第２の筐体２の回転に伴って移動する回転軸を中心に回転するようになっている。これにより、図２に示すように長手方向の一端部が第１の筐体５に近接した縦長状態の第２の筐体２を９０°回転させても、図４に示すように第２の筐体２の短手方向の一端部が第１の筐体５に近接するようになっている。
【００３７】
また、第２の筐体２に作用する付勢力により、第１の筐体５を把持した状態のまま第２の筐体２を縦長状態または横長状態にスムーズに切り替えることができるようになっている。
【００３８】
図５は、図２の携帯情報端末１の背面概略図であり、背面から見た図２の携帯情報端末１を示している。
【００３９】
図６は、図４の携帯情報端末１の背面概略図であり、背面から見た図４の携帯情報端末１を示している。
【００４０】
図５および図６に示すように、カメラ１０は第１の筐体５に配置され、第１の筐体５が回転しても、共に回転しないような機構となっている。ユーザは、カメラ１０で撮影中の画像を、メイン表示部２ａをファインダとして確認することができる。
【００４１】
図７は、携帯情報端末１の機能的構成を示す機能ブロック図である。
図７を参照して、携帯情報端末１の機能的構成について説明する。
【００４２】
携帯情報端末１は、カメラユニット２０と、ＬＣＤ（Liquid Crystal Display）ユニット３０と、内蔵メモリ４０と、画像処理制御部５０と、カメラ制御アプリケーション部５２と、キー操作部５４と、ディスプレイ回転センサ５６と、ファイル登録制御アプリケーション５８と、ファイル保存用フラッシュメモリ６０と、アンテナ６１と、アンテナ６１での通信を制御するための通信部６２と、通信部６２を介した通話を制御するための通話処理制御部６４と、音声等を発するためのスピーカ６６と、音声等を送信するためのマイク６８とを備える。
【００４３】
カメラ制御アプリケーション部５２は、携帯情報端末１のカメラ機能の制御を行なうためのアプリケーションである。画像の撮影、ＬＣＤへの画像の表示、メモリ間のデータ転送、画像データの圧縮、保存などの制御を行なうために、各制御部に命令を発する。
【００４４】
キー操作部５４は、シャッターキー、メニュー操作キー、撮影サイズ切り替えキー、撮影画像保存指示キー等を含む。これらのキーによりカメラ制御アプリケーション部５２に指示を与える。撮影サイズ切り替えキーが指示する「撮影サイズ」には、縦横比がメイン表示部２ａの長辺対短辺となるサイズ（「縦長撮影サイズ」と呼ぶ）と、短辺対長辺となるサイズ（「横長撮影サイズ」と呼ぶ）とがある。撮影サイズ切り替えキーによって、縦長撮影サイズと横長撮影サイズの切り替えができる。なお、各キーは片手で操作できるよう近くに配置されることが望ましい。
【００４５】
また、キー操作部５４は、カメラ制御アプリケーション部５２に対し、撮影サイズを維持したまま、ディスプレイ上の画像のサイズ（表示サイズ）を拡大・縮小する指示を与えることもできる。
【００４６】
ディスプレイ回転センサ５６は、ディスプレイの縦長状態、横長状態、およびその一方から他方への回転状態を検出し、カメラ制御アプリケーション部５２に通知する。
【００４７】
カメラユニット２０は、カメラ受光部２２と、カメラセンサ２４と、ファインダ表示画像用メモリ２６と、撮影画像一時保管用メモリ２８とを含む。これらは、カメラ制御アプリケーション部５２から命令を受けたカメラドライバ（図示しない）によって制御される。
【００４８】
カメラ受光部２２は、レンズを有し、光学データを受光する。
カメラセンサ２４は、カメラ受光部２２から出力された光学データをデジタル画像に変換する。たとえば、ＣＣＤ（Charge Coupled Device）やＣＭＯＳ（Complementary Metal
Oxide Semiconductor）である。カメラセンサ２４では、画素に対応する光電変換素子が
行列状に配置されている。光電変換素子は、光輝度を電気信号に変換する。
【００４９】
ＬＣＤユニット３０は、表示用メモリ３４と、ＬＣＤ表示制御部３２とを含む。なお、ＬＣＤはメイン表示部２ａに相当し、ＬＣＤユニット３０では画像データの表示が行なわれる。また、ＬＣＤの代わりに有機ＥＬ（Electro Luminescence）などを用いてもよい。
【００５０】
表示用メモリ３４は、ＬＣＤに表示する画像データを保管する。たとえば、ＶＲＡＭ（Video RAM）から構成される。
【００５１】
ＬＣＤ表示制御部３２は、表示用メモリ３４に保管されている画像データをＬＣＤに表示する制御を行なう。
【００５２】
ファインダ表示画像用メモリ２６は、カメラセンサ２４から出力されたファインダ表示用画像を保管する。
【００５３】
撮影画像一時保管用メモリ２８は、キー操作部５４を介してシャッター操作されたときに、カメラセンサ２４から出力される撮影画像を保管する。
【００５４】
カメラドライバは、ファインダ表示時のファインダ表示用画像の出力、キー操作部５４からの撮影サイズ切り替え指示に応じた撮影サイズの切り替え、シャッター操作時の撮影画像の出力等の処理を行なう。
【００５５】
ここで、カメラセンサ２４からのデジタル画像を読み込むための走査方向とＬＣＤに画像を表示するための走査方向とについて説明する。
【００５６】
図８は、カメラセンサ２４からのデジタル画像を読み込むための走査方向とＬＣＤに画像を表示するための走査方向とを説明するための図である。
【００５７】
図８に示すように、カメラセンサ２４では、光電変換素子が行列状に配置されている。ここで、行列状に配置された光電変換素子の左上側を原点、水平方向をｘ軸、垂直方向をｙ軸とすると、光電変換素子のデータは、たとえば、矢印８０に示すように、原点からｘ軸の方向に向かって読み出される。ｘ軸方向の読み出しが終われば、ｙ軸方向にずらして、再びｘ軸方向にデータを読み出す。
【００５８】
このようにして読み出された画像データは、ファインダ表示画像用メモリ２６および表示用メモリ３４を経てＬＣＤ上に表示される。
【００５９】
ＬＣＤでは、表示駆動の際の画素の走査方向が、たとえば、矢印８２に示すように予め定められている。カメラセンサ２４から読み出された画像データは、走査方向に沿ってＬＣＤ上に表示される。
【００６０】
図７に戻って、画像処理制御部５０は、ファインダ表示画像用メモリ２６または撮影画像一時保管用メモリ２８の画像データを読み込み、拡大、縮小、回転などの処理を行なう。そして同じメモリエリアまたは別のメモリエリアに出力する。また、シャッター操作後、画像データ保存時の画像圧縮処理も行なう。たとえば、撮影画像一時保管用メモリに保管されたＢＭＰ（Bitmap）ファイルをＪＰＥＧ（Joint Photographic Experts Group）ファイルに変換する。また、画像処理制御部５０は、撮影サイズが横長撮影サイズのとき、ファインダ表示画像用メモリ２６から読み込んだ画像から、短辺対長辺の縦横比（横長表示）となる画像を切り出す処理も行なう。
【００６１】
内蔵メモリ４０は、第１の内蔵メモリ４２と、第２の内蔵メモリ４４と、第３の内蔵メモリ４６とを含む。
【００６２】
第１の内蔵メモリ４２は、ファインダ表示画像用メモリから読み込んだ画像を画像処理制御部５０で回転処理を行なった結果の画像データを保管する。
【００６３】
第２の内蔵メモリ４４は、ファインダ表示画像用メモリから読み込んだ画像を画像処理制御部５０で拡大または縮小処理を行なった結果の画像データを保管する。
【００６４】
第３の内蔵メモリ４６は、撮影画像一時保管用メモリから読み込んだ画像を画像処理制御部５０で圧縮処理を行なった結果の画像データを保管する。
【００６５】
ファイル登録制御アプリケーション５８は、キー操作部５４より保存指示を受けたカメラ制御アプリケーション部５２からの命令を受け、第３の内蔵メモリの画像データをファイル保存用フラッシュメモリ６０に保存する処理を行なう。
【００６６】
ファイル保存用フラッシュメモリ６０は、不揮発性のファイル保存用記憶装置である。アプリケーションからの指示により、外付けの記憶装置を扱うこともできる。
【００６７】
次に、以上のような機能構成を持つ携帯情報端末１における画像データの流れについて、図７を参照して説明する。以下の説明では、メイン表示部２ａをディスプレイと呼ぶ。
【００６８】
（１．ディスプレイ：縦長状態／撮影サイズ：縦長撮影サイズで撮影）
ディスプレイが縦長状態、撮影サイズが縦長撮影サイズで撮影しているときのデータの流れについて述べる。
【００６９】
カメラ受光部２２で受光した光学データは、カメラセンサ２４にてデジタル画像データに変換される。そして、変換されたデジタル画像データは、カメラセンサ２４から出力されて、ファインダ表示画像用メモリ２６に格納される。さらに、ファインダ表示画像用メモリ２６に格納されたデジタル画像データは、ＬＣＤユニット３０の表示用メモリ３４に送られ、ＬＣＤ表示制御部３２によって、ディスプレイに表示される。
【００７０】
（２．ディスプレイ：縦長状態／撮影サイズ：横長撮影サイズで撮影）
ディスプレイが縦長状態、撮影サイズが横長撮影サイズで撮影しているときのデータの流れについて述べる。
【００７１】
カメラ受光部２２で受光した光学データはカメラセンサ２４にてデジタル画像データに変換される。そして、変換されたデジタル画像データは、カメラセンサ２４から出力されて、ファインダ表示画像用メモリ２６に格納される。さらに、ファインダ表示画像用メモリ２６に格納されたデジタル画像データから、画像処理制御部５０によって、横長表示のために縦横比がディスプレイの短辺対長辺となるよう画像が切り出される。切り出された画像データは、ＬＣＤユニット３０の表示用メモリ３４に送られ、ＬＣＤ表示制御部３２によって、ディスプレイに表示される。なお、デジタル画像データから横長表示の撮影サイズに切り出す処理は、画像データをカメラセンサ２４からファインダ表示画像用メモリ２６に格納するときにカメラドライバによって実行されてもよい。この場合、カメラドライバによって切り出された画像データは、ファインダ表示画像用メモリ２６から表示用メモリ３４に格納される。
【００７２】
（３．ディスプレイ：横長状態／撮影サイズ：縦長撮影サイズで撮影）
ディスプレイが横長状態、撮影サイズが縦長撮影サイズで撮影しているときのデータの
流れについて述べる。
【００７３】
カメラ受光部２２で受光した光学データはカメラセンサ２４にてデジタル画像データに変換される。そして、変換されたデジタル画像データは、カメラセンサ２４から出力されて、ファインダ表示画像用メモリ２６に格納される。次いで、ファインダ表示画像用メモリ２６に格納されたデジタル画像データは、画像処理制御部５０において回転処理され、第１の内蔵メモリ４２に格納される。続いて、第１の内蔵メモリ４２に格納された画像データは、画像処理制御部５０において、ディスプレイの短辺と画像の長辺とが合うように縮小処理され、第２の内蔵メモリ４４に格納される。さらに、第２の内蔵メモリ４４からＬＣＤユニット３０の表示用メモリ３４に送られ、ＬＣＤ表示制御部３２によって、ディスプレイに表示される。
【００７４】
（４．ディスプレイ：横長状態／撮影サイズ：横長撮影サイズで撮影）
ディスプレイが横長状態、撮影サイズが横長撮影サイズで撮影しているときのデータの流れについて述べる。
【００７５】
カメラ受光部２２で受光した光学データはカメラセンサ２４にてデジタル画像データに変換される。そして、変換されたデジタル画像データは、カメラセンサ２４から出力されて、ファインダ表示画像用メモリ２６に格納される。さらに、ファインダ表示画像用メモリ２６に格納されたデジタル画像データから、画像処理制御部５０によって、横長表示のために縦横比がディスプレイの短辺対長辺となるよう画像が切り出され、回転処理が行なわれる。回転処理された画像データは、第１の内蔵メモリ４２に格納される。続いて、第１の内蔵メモリ４２に格納した画像データは、画像処理制御部５０によって、ディスプレイの長辺と画像の長辺とが合うように拡大処理され、第２の内蔵メモリ４４に格納される。そして、第２の内蔵メモリ４４に格納された画像データは、ＬＣＤユニット３０の表示用メモリ３４に送られ、ＬＣＤ表示制御部３２によって、ディスプレイに表示される。
【００７６】
（５．シャッター操作時）
撮影中にシャッター操作がされたときのデータの流れについて述べる。
【００７７】
カメラ受光部２２で受光した光学データはカメラセンサ２４にてデジタル画像データに変換される。そして、変換されたデジタル画像データは、カメラセンサ２４から出力されて、撮影画像一時保管用メモリ２８に格納される。さらに、撮影画像一時保管用メモリ２８に格納されたデジタル画像データは、画像処理制御部５０によって圧縮処理され、第３の内蔵メモリ４６に格納される。第３の内蔵メモリ４６に格納された圧縮画像データは、さらにファイル登録制御アプリケーション５８からの指示により、ファイル保存用フラッシュメモリ６０に送られる。
【００７８】
上記のようなディスプレイ上の画像表示を、具体例を挙げて説明する。
図９は、撮影サイズが縦長撮影サイズの場合にディスプレイの回転を行なったときの、ディスプレイ画像の遷移を説明するための図である。図９（ａ）は、ディスプレイが縦長状態でのディスプレイ画像の例を示し、図９（ｂ）は、ディスプレイが横長状態でのディスプレイ画像の例を示している。
【００７９】
図９（ａ）に示すように、ディスプレイが縦長状態において、カメラセンサ２４が取得した画像２００は、ディスプレイ（ＬＣＤ）上では、画像２０２のように表示される。図９（ｂ）に示すようにディスプレイ回転後、ディスプレイが横長状態においては、カメラセンサ２４が取得した画像２０４は、ディスプレイ上では、画像２０６のように表示される。
【００８０】
図１０は、撮影サイズが横長撮影サイズの場合にディスプレイの回転を行なったときの、ディスプレイ画像の遷移を説明するための図である。図１０（ａ）は、ディスプレイが横長状態でのディスプレイ上の画像２１２を示し、図１０（ｂ）は、ディスプレイが縦長状態でのディスプレイ上の画像２１６を示している。
【００８１】
図１０（ａ）に示すように、ディスプレイが縦長状態において、カメラセンサ２４が取得した画像２１０は、短辺対長辺の縦横比（横長表示）となる画像に切り出され、さらに、回転・拡大処理されて、ディスプレイ上では画像２１２のように表示される。図１０（ｂ）に示すように、ディスプレイ回転後、ディスプレイが縦長状態においては、カメラセンサ２４が取得した画像２１４から、短辺対長辺の縦横比となるように切り出された画像が画像２１６のように表示される。
【００８２】
次に、上記で示した携帯情報端末１における処理の流れについて説明する。
以下の処理によれば、本実施の形態に係る携帯情報端末１はディスプレイが回転しても縦横比を維持したまま画像を表示することができる。
【００８３】
図１１は、携帯情報端末１における画像表示処理の流れを示したフローチャートである。
【００８４】
図１１を参照して、ステップＳ１０において、カメラセンサ２４は、カメラ受光部２２で受光した光学データ取得し、デジタル画像データに変換する。そして、ファインダ表示画像用メモリ２６にデジタル画像データを格納する。
【００８５】
次いで、ステップＳ１１において、カメラ制御アプリケーション部５２は、ディスプレイ回転センサ５６からディスプレイが縦長状態か横長状態かを取得する。
【００８６】
続いて、ステップＳ１２において、カメラ制御アプリケーション部５２は、キー操作部５４によって与えられた撮影サイズが縦長撮影サイズか横長撮影サイズかを取得する。
【００８７】
そして、ステップＳ１３において、カメラ制御アプリケーション部５２は、撮影サイズが横長撮影サイズかどうかを判定する。撮影サイズが横長サイズであると判定した場合は（ステップＳ１３において、ＹＥＳ）、ステップＳ１４において、画像処理制御部５０は、ファインダ表示画像用メモリ２６の画像から、横長表示となるような画像を切り出す処理を行なう。
【００８８】
一方、撮影サイズが横長サイズでないと判定した場合は（ステップＳ１３において、ＮＯ）、ステップＳ１６の処理に進む。
【００８９】
そして、ステップＳ１６において、カメラ制御アプリケーション部５２は、ディスプレイが回転されているかどうかを判定する。ディスプレイが回転された（ディスプレイが横長状態）と判断した場合（ステップＳ１４において、ＹＥＳ）は、ステップＳ２０において、画像を回転・縮小拡大処理を行ない、ステップＳ１８の処理に進む。なお、ステップＳ２０の処理については後述する。
【００９０】
一方、ディスプレイが回転していない（ディスプレイが縦長状態）と判断した場合（ステップＳ１６において、ＮＯ）は、ステップＳ１７において、カメラ制御アプリケーション部５２は、ファインダ表示画像用メモリ２６の画像データ（撮影サイズが縦長撮影サイズのとき）、または、画像処理制御部５０が切り出した画像データ（撮影サイズが横長撮影サイズのとき）を表示用メモリ３４に格納するよう指示する。
【００９１】
最後に、ステップＳ１８において、ＬＣＤ表示制御部３２は、表示用メモリ３４に格納されたデジタル画像データをディスプレイに表示する。
【００９２】
以上のようにして、携帯情報端末１は縦横比を維持したまま画像表示処理を行なう。なお、この動作はカメラセンサが画像を取得するごとに行なう。たとえば、１０〜３０ｆｐｓごとに実行する。
【００９３】
次に、図１１のステップＳ２０における処理について説明する。
図１２は、画像の回転・縮小拡大処理の流れを示したフローチャートである。
【００９４】
図１２を参照して、図１１のステップ２０において実行される、画像の回転・縮小拡大処理について述べる。
【００９５】
ステップＳ３０において、画像処理制御部５０は、ファインダ表示画像用メモリ２６の画像データまたは、画像処理制御部５０が切り出し処理した画像データを取得し、回転処理を行なう。さらに、回転処理した画像データを第１の内蔵メモリ４２に格納する。
【００９６】
次いで、ステップＳ３２において、カメラ制御アプリケーション部５２は、第１の内蔵メモリ４２に格納した画像データの長辺がディスプレイの短辺より長いかどうかを判定する。画像データの長辺がディスプレイの短辺より長いと判断すれば（ステップＳ３２において、ＹＥＳ）、カメラ制御アプリケーション部５２は、画像処理制御部５０に対し、撮影サイズの縦横比を維持したままディスプレイの短辺にあわせて画像の縮小処理を行なうよう指示する。画像処理制御部５０は、縮小処理した画像データを第２の内蔵メモリ４４に格納する。
【００９７】
次いで、ステップＳ３６において、カメラ制御アプリケーション部５２は、第２の内蔵メモリ４４の画像を表示用メモリ３４に格納する。
【００９８】
一方、画像データの長辺がディスプレイの短辺より短いと判断すれば（ステップＳ３２において、ＮＯ）、ステップＳ３８において、第１の内蔵メモリの画像データを表示用メモリ３４に転送する。または、縦横比を維持したままディスプレイの大きさに画像を拡大処理し、直接表示用メモリに転送してもよいし、拡大処理した画像を第２の内蔵メモリ４４に格納してもよい。この場合は、第２の内蔵メモリ４４の画像データを表示用メモリ３４に格納する。
【００９９】
以上のようにして、図１１のステップＳ２０における処理が行なわれる。
次に、キー操作部５４によって、撮影サイズの切り替え指示が与えられた場合の処理について説明する。なお、撮影サイズの切り替えは、縦長撮影サイズ、横長撮影サイズの切り替えだけでなく、縦横比を維持したままでディスプレイに表示する画像の表示サイズを切り替える（拡大・縮小）処理も含む。
【０１００】
図１３は、撮影サイズの切り替え指示が与えられた場合の処理の流れを示すフローチャートである。
【０１０１】
図１３を参照して、ステップＳ４０において、カメラ制御アプリケーション部５２は、キー操作部５４から撮影サイズの切り替え指示を受ける。
【０１０２】
ステップＳ４１において、カメラ制御アプリケーション部５２は、キー操作部５４から撮影サイズの縦長撮影サイズから横長撮影サイズ、または横長撮影サイズから縦長撮影サイズへの切り替え指示があるかどうかを判定する。縦長、横長撮影サイズの切り替えでは
ないと判断した場合は（ステップＳ４１において、ＮＯ）、ステップＳ５０において、画像処理制御部５０は、ファインダ表示画像用メモリ２６の画像を、撮影サイズ切り替え指示に従って、拡大もしくは縮小する。拡大／縮小処理された画像データは、第２の内蔵メモリ４４に格納され、さらに、第２の内蔵メモリ４４から表示用メモリ３４へ送られる。
【０１０３】
一方、縦長、横長撮影サイズの切り替えであると判断した場合は（ステップＳ４１において、ＹＥＳ）、ステップＳ４２において、カメラ制御アプリケーション部５２は、ディスプレイ回転センサ５６からディスプレイの状態を取得する。
【０１０４】
次いで、ステップＳ４４において、カメラ制御アプリケーション部５２は、切り替え指示が横長表示への指示であるかどうかを判定する。横長表示への指示であると判断した場合は（ステップＳ４４において、ＹＥＳ）、ステップＳ４６において、表示用メモリ３４に横長表示の画像を格納する。横長表示の画像を表示用メモリ３４に格納するまでの手順は、図１１で説明した手順と同様であるため、説明は省略する。
【０１０５】
一方、横長表示でないと判断した場合は（ステップＳ４４において、ＮＯ）、ステップＳ４８において、表示用メモリ３４に縦長表示の画像を格納する。横長表示の画像を表示用メモリ３４に格納するまでの手順は、図１１で説明した手順と同様であるため、説明は省略する。
【０１０６】
最後に、ステップＳ５２において、ＬＣＤ表示制御部３２は、表示用メモリ３４に格納されたデジタル画像データをディスプレイに表示する。
【０１０７】
以上のようにして、画像の撮影サイズの切り替え指示が与えられた場合の処理が実行される。
【０１０８】
図１４は、ディスプレイ画像の遷移の一例を示す図である。
図１４を参照して、本実施の形態に係る携帯情報端末１が行なう上記処理について具体例を挙げて説明する。
【０１０９】
図１４（ａ）は、ディスプレイが縦長状態において、被写体を縦長表示したディスプレイ画像である。ここで、縦長表示を維持してディスプレイを回転すると図１４（ｂ）で示すように、ディスプレイが横長状態において、縦長表示される。さらに、ユーザは撮影サイズ切り替えキーを押すことにより、図１４（ｃ）で示すように、ディスプレイが横長状態において、画像が切り出されて横長表示される。また、図１４（ｃ）の横長表示から、撮影サイズ切り替えキーを押すことにより、図１４（ｂ）の縦長表示に切り替えることもできる。そして、横長表示を維持してディスプレイを回転すると図１４（ｄ）で示すように、ディスプレイが縦長状態において、横長表示される。
【０１１０】
なお、ディスプレイが縦長状態において、縦長表示されているとき（図１４（ａ））に撮影サイズ切り替えキーを押すことにより、横長表示（図１４（ｄ））とすることもできる。また、同様に、図１４（ｄ）から図１４（ａ）の状態に切り替えることも可能である。
【０１１１】
図１５は、ディスプレイ画像の図１４とは異なる遷移の一例を示す図である。
図１５を参照して、本実施の形態に係る携帯情報端末１が行なう上記処理について図１４とは別の具体例を挙げて説明する。
【０１１２】
図１５（ａ）は、ディスプレイが横長状態において、被写体を横長表示したディスプレイ画像である。ここで、横長表示を維持してディスプレイを回転すると図１５（ｂ）で示
すように、ディスプレイが縦長状態において、横長表示される。さらに、ユーザは撮影サイズ切り替えキーを押すことにより、図１５（ｃ）で示すように、ディスプレイが縦長状態において、縦長表示される。また、図１５（ｃ）の縦長表示から、撮影サイズ切り替えキーを押すことにより、図１５（ｂ）の横長表示に切り替えることもできる。そして、横長表示を維持してディスプレイを回転すると図１５（ｄ）で示すように、ディスプレイが横長状態において、縦長表示される。
【０１１３】
なお、ディスプレイが横長状態において、横長表示されているとき（図１５（ａ））に撮影サイズ切り替えキーを押すことにより、縦長表示（図１５（ｄ））とすることもできる。また、同様に、図１５（ｄ）から図１５（ａ）の状態に切り替えることも可能である。
【０１１４】
上述したように、本実施の形態に係る携帯情報端末によれば、ディスプレイが縦長状態および横長状態の少なくとも一方の状態において、キー操作によりディスプレイ上の画像の撮影サイズを変更できる。これにより、ユーザは、ディスプレイを回転させることなく、現在の被写体との距離における、縦長表示、横長表示での画角が簡単に確認できる。
【０１１５】
また、本実施の形態に係る携帯情報端末によれば、拡大処理をすることなく横長表示での画像もディスプレイ上に表示させることができるので、ディスプレイが横長状態において横長表示された画像を表示する場合に比べて画像の解像度を上げることができる。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１７】
【図１】本実施の形態に係る携帯情報端末１の一例を示した斜視図であり、筐体を閉じた状態を示している。
【図２】携帯情報端末１の筐体を展開した状態を示した斜視図である。
【図３】図２の携帯情報端末１の第２の筐体２を回転させた状態で示した斜視図である。
【図４】図２の携帯情報端末１の第２の筐体２を回転させた状態を示した斜視図である。
【図５】図２の携帯情報端末１の背面概略図である。
【図６】図４の携帯情報端末１の背面概略図である。
【図７】携帯情報端末１の機能的構成を示す機能ブロック図である。
【図８】カメラセンサ２４からのデジタル画像を読み込むための走査方向とＬＣＤに画像を表示するための走査方向とを説明するための図である。
【図９】撮影サイズが縦長撮影サイズの場合にディスプレイの回転を行なったときの、ディスプレイ画像の遷移を説明するための図である。
【図１０】撮影サイズが横長撮影サイズの場合にディスプレイの回転を行なったときの、ディスプレイ画像の遷移を説明するための図である。
【図１１】携帯情報端末１における画像表示処理の流れを示したフローチャートである。
【図１２】画像の回転・縮小拡大処理の流れを示したフローチャートである。
【図１３】画像の撮影サイズの切り替え指示が与えられた場合の処理の流れを示すフローチャートである。
【図１４】ディスプレイ画像の遷移の一例を示す図である。
【図１５】ディスプレイ画像の図１４とは異なる遷移の一例を示す図である。
【図１６】特許文献１に開示された携帯電話機の構成を示す概略背面図である。
【図１７】特許文献２に開示される携帯電話機の構成を示す概略背面図である。
【図１８】ディスプレイの回転と共にカメラが回転しない機構を持つ携帯電話機の構成を示す背面概略図である。
【図１９】ディスプレイが縦長表示の状態において、カメラセンサの取得した画像とディスプレイに表示される画像との関係を説明するための図である。
【図２０】ディスプレイが横長表示の状態において、カメラセンサの取得した画像とディスプレイに表示される画像との関係を説明するための図である。
【符号の説明】
【０１１８】
１  携帯情報端末、２  第２の筐体、２ａ  メイン表示部、３  ヒンジ部、４  操作キー、５  第１の筐体、７  送話用マイクロホン、８  受話用レシーバ、１０  カメラ、１１  サブ表示部、２０  カメラユニット、２２  カメラ受光部、２４  カメラセンサ、２６  ファインダ表示画像用メモリ、２８  撮影画像一時保管用メモリ、３０  ＬＣＤユニット、３２  ＬＣＤ表示制御部、３４  表示用メモリ、４０  内蔵メモリ、４２  第１の内蔵メモリ、４４  第２の内蔵メモリ、４６  第３の内蔵メモリ、５０  画像処理制御部、５２  カメラ制御アプリケーション部、５４  キー操作部、５６  ディスプレイ回転センサ、５８  ファイル登録制御アプリケーション、６０  ファイル保存用フラッシュメモリ、６１  アンテナ、６２  通信部、６４  通話処理制御部、６６  スピーカ、６８  マイク、１００  携帯情報端末、１０２  上部ユニット、１０４  下部ユニット、１０６  カメラ、１１０  携帯情報端末、１１２  上部ユニット、１１４  下部ユニット、１１６
カメラ、１２０  携帯情報端末、１２２  上部ユニット、１２４  下部ユニット、１２６  カメラ。
【図１】
2008113185.tif 000003
【図２】
2008113185.tif 000004
【図３】
2008113185.tif 000005
【図４】
2008113185.tif 000006
【図５】
2008113185.tif 000007
【図６】
2008113185.tif 000008
【図７】
2008113185.tif 000009
【図８】
2008113185.tif 000010
【図１１】
2008113185.tif 000011
【図１２】
2008113185.tif 000012
【図１３】
2008113185.tif 000013
【図１６】
2008113185.tif 000014
【図１７】
2008113185.tif 000015
【図１８】
2008113185.tif 000016
【図９】
2008113185.tif 000017
【図１０】
2008113185.tif 000018
【図１４】
2008113185.tif 000019
【図１５】
2008113185.tif 000020
【図１９】
2008113185.tif 000021
【図２０】
2008113185.tif 000022